(57)【特許請求の範囲】
【請求項１】
番組案内提供チャンネルの所定のタイミングで電子番組案内が格納されたテレビジョン信号を含む複数チャンネル分のテレビジョン信号を取り込み、当該複数チャンネルのうち所望のチャンネルのテレビジョン信号を選択する少なくとも２つのチャンネル選択手段と、
各上記チャンネル選択手段により選択された上記所望のチャンネルの上記テレビジョン信号に対して所定処理を施す少なくとも２つの信号処理手段と、
上記チャンネル選択手段により選択された上記番組案内提供チャンネルの上記テレビジョン信号から上記電子番組案内を抽出する電子番組案内抽出手段と、
各上記チャンネル選択手段と、各上記信号処理手段及び上記電子番組案内抽出手段との接続を切り替える切替手段と、
各上記信号処理手段により上記所望のチャンネルの１つのテレビジョン信号に対して複数の異なる上記所定処理を同時に施す場合、当該各信号処理手段を上記チャンネル選択手段のうちの１つに一括して接続するように上記切替手段を制御する制御手段と
を具えることを特徴とする記録再生装置。
【請求項２】
上記制御手段は、
上記電子番組案内の提供時に各上記信号処理手段により上記番組案内提供チャンネルの上記テレビジョン信号に対して複数の異なる上記所定処理を同時に施す場合、当該各信号処理手段と上記電子番組案内抽出手段とを上記複数のチャンネル選択手段のうちの１つに一括して接続するように上記切替手段を制御する
ことを特徴とする請求項１に記載の記録再生装置。
【請求項３】
各上記信号処理手段により上記所定処理が施された上記テレビジョン信号を記録する記録媒体
を具え、各上記信号処理手段は、上記チャンネル選択手段のうちの１つにより選択された上記所望のチャンネルの１つのテレビジョン信号に対してそれぞれ異なる圧縮率で同時に圧縮符号化処理を施し、当該異なる圧縮率で圧縮符号化した上記テレビジョン信号は上記記録媒体に記録される
ことを特徴とする請求項１に記載の記録再生装置。
【請求項４】
各上記信号処理手段により上記所定処理が施された上記テレビジョン信号を格納する記録媒体
を具え、上記複数の信号処理手段は、上記チャンネル選択手段のうちの１つにより選択された上記所望のチャンネルの１つのテレビジョン信号に対してそれぞれ異なる視聴用の処理又は圧縮符号化処理を同時に施し、当該視聴用の処理又は圧縮符号化処理のうち当該圧縮符号化した上記テレビジョン信号が上記記録媒体に記録される
ことを特徴とする請求項１に記載の記録再生装置。
【請求項５】
番組案内提供チャンネルの所定のタイミングで電子番組案内が格納されたテレビジョン信号を含む複数チャンネル分のテレビジョン信号を少なくとも２つの経路でそれぞれ取り込む取込ステップと、
上記複数チャンネル分の上記テレビジョン信号のうちの１つに対して少なくとも２つの信号処理系で複数の異なる所定処理を同時に施す場合、上記経路のうちの少なくとも１つを上記電子番組案内の抽出用に確保し、上記信号処理系を一括して接続する接続ステップと
を具えることを特徴とする記録再生方法。
【請求項６】
上記電子番組案内の提供時に各上記信号処理系により上記番組案内提供チャンネルの上記テレビジョン信号に対して異なる上記所定処理を同時に施す場合、上記信号処理系と、上記番組案内提供チャンネルの上記テレビジョン信号から上記電子番組案内を抽出する電子番組案内抽出処理系とに一括して接続する一括接続ステップと
を具えることを特徴とする請求項５に記載の記録再生方法。
【請求項７】
上記信号処理系に接続された１つの上記経路で１つの所望のチャンネルのテレビジョン信号を選択するチャンネル選択ステップと、
各上記信号処理系により１つの上記所望のチャンネルの当該テレビジョン信号に対してそれぞれ異なる圧縮率で同時に圧縮符号化処理を施す圧縮符号化ステップと、
１つの上記所望のチャンネルの当該テレビジョン信号を上記信号処理系によりそれぞれ上記異なる圧縮率で圧縮符号化することにより得られた圧縮符号化テレビジョン信号を所定の記録媒体に記録する記録ステップと
を具えることを特徴とする請求項５に記載の記録再生方法。
【請求項８】
上記信号処理系に接続された１つの上記経路で所望のチャンネルの上記１つのテレビジョン信号を選択するチャンネル選択ステップと、
各上記信号処理系により上記所望のチャンネルの上記１つのテレビジョン信号に対してそれぞれ異なる視聴用の処理又は圧縮符号化処理を同時に施す処理ステップと、
各上記信号処理系のうち所定の信号処理系により、１つの上記所望のチャンネルの上記テレビジョン信号を圧縮符号化することにより得られた圧縮符号化テレビジョン信号を所定の記録媒体に記録する記録ステップと
を具えることを特徴とする請求項５に記載の記録再生方法。
【発明の詳細な説明】
【０００１】
【発明の属する技術分野】
本発明は記録再生装置に関し、例えば複数チャンネル分のテレビジョン信号のうち所望のチャンネルのテレビジョン信号を記録再生する記録再生装置に適用して好適なものである。
【０００２】
【従来の技術】
従来の記録再生装置となる放送受信装置は、複数チャンネル分のテレビジョン信号を受信する２つのチューナを有し、一方のチューナを視聴用及び録画用として所望のチャンネルのテレビジョン信号を選択するために用い、他方のチューナを録画用として所望のチャンネルのテレビジョン信号を選択するために用いている。（例えば、特許文献１参照）。
【０００３】
【特許文献１】
特開平８−１８０５０４号公報（図１）
【０００４】
【発明が解決しようとする課題】
ところで近年、かかる放送受信装置のような記録再生装置において、複数チャンネルのうち例えば１つの特定チャンネルのテレビジョン信号に含まれる電子番組案内（Electronic Program Guide）を抽出して録画予約等に使用することが考えられている。
【０００５】
そしてかかる構成の放送受信装置において、特定チャンネルのテレビジョン信号から電子番組案内を抽出するには、その抽出に合わせていずれか一方のチューナにより特定チャンネルを選択する必要がある。
【０００６】
ところがかかる放送受信装置は、２つのチューナを同時に動作させることが可能であるため、２つのチューナで同一チャンネルのテレビジョン信号をそれぞれ選択し、一方のチューナで選択したテレビジョン信号をテレビジョン番組の視聴に利用すると共に、他方のチューナで選択したテレビジョン信号を録画再生装置部でのテレビジョン番組の録画に利用し得ると考えられる。
【０００７】
このためかかる放送受信装置では、１つのテレビジョン番組の視聴及び録画を同時に実行するために２つのチューナの両方で特定チャンネルとは異なる同一チャンネルを選択している場合、特定チャンネルの選択にチューナを使用することができないことにより結果として電子番組案内を抽出することができず、このため電子番組案内を録画予約等に使用し難い問題があった。
【０００８】
本発明は以上の点を考慮してなされたもので、電子番組案内を確実に使用し得る記録再生装置を提案しようとするものである。
【０００９】
【課題を解決するための手段】
かかる課題を解決するため本発明においては、少なくとも２つのチャンネル選択手段により番組案内提供チャンネルの所定のタイミングで電子番組案内が格納されたテレビジョン信号を含む複数チャンネル分のテレビジョン信号を取り込んで所望のチャンネルのテレビジョン信号を選択し、少なくとも２つの信号処理手段によりチャンネル選択手段によって選択された所望のチャンネルのテレビジョン信号に対して所定処理を施すと共に、電子番組案内抽出手段によりチャンネル選択手段によって選択された番組案内提供チャンネルのテレビジョン信号から電子番組案内を抽出するようにし、各信号処理手段により１つの所望のチャンネルのテレビジョン信号に対して異なる所定処理を同時に施す際には、制御手段により各チャンネル選択手段と各信号処理手段及び電子番組案内抽出手段との接続を切り替える切替手段を制御して、各信号処理手段を各チャンネル選択手段のうち１つの当該チャンネル選択手段に一括して接続するようにした。
【００１０】
従って、１つのテレビジョン信号に対して異なる所定処理を同時に施す場合でも、番組案内提供チャンネルの選択用にチャンネル選択手段を確保しておき、当該確保した１つのチャンネル選択手段と電子番組案内抽出手段とを切替手段を介して接続して番組案内提供チャンネルのテレビジョン信号から電子番組案内を確実に取得することができる。
【００１１】
【発明の実施の形態】
以下図面について、本発明の一実施の形態を詳述する。
【００１２】
図１において、１は全体として本発明による記録再生装置を示し、外部から供給される複数チャンネル分のアナログのテレビジョン信号群Ｓ１を取り込む同様構成の２つの第１及び第２のチューナ２及び３を有するチャンネル選択部４が入力段に設けられている。
【００１３】
チャンネル選択部４の後段には、第１のオーディオアナログ／デジタル変換回路（以下、これを第１のオーディオＡ／Ｄ変換回路と呼ぶ）５、第１のＮＴＳＣ（National Television System Committee）デコーダ６、データ圧縮部７の第１のＭＰＥＧ（Moving Picture Experts Group）エンコーダ８、データ復号部９の第１のＭＰＥＧデコーダ１０、第１のオーディオデジタル／アナログ変換回路（以下、これを第１のオーディオＤ／Ａ変換回路と呼ぶ）１１、第１のＮＴＳＣエンコーダ１２、第１の音声出力端子１３及び第１の映像出力端子１４から構成される第１の信号処理系が設けられている。
【００１４】
またチャンネル選択部４の後段には、第１の信号処理系と同様構成の第２のオーディオアナログ／デジタル変換回路（以下、これを第２のオーディオＡ／Ｄ変換回路と呼ぶ）１５、第２のＮＴＳＣデコーダ１６、データ圧縮部７の第２のＭＰＥＧエンコーダ１７、データ復号部９の第２のＭＰＥＧデコーダ１８、第２のオーディオデジタル／アナログ変換回路（以下、これを第２のオーディオＤ／Ａ変換回路と呼ぶ）１９、第２のＮＴＳＣエンコーダ２０、第２の音声出力端子２１及び第２の映像出力端子２２から構成される第２の信号処理系も設けられている。
【００１５】
さらにチャンネル選択部４の後段には、複数チャンネルのうち電子番組案内を提供している特定チャンネル（以下、これを番組案内提供チャンネルと呼ぶ）のテレビジョン信号Ｓ２からこれに含まれる映像信号を分離し、当該分離した映像信号の垂直帰線期間（Vertical Blanking Interval）に格納されている電子番組案内を抽出する垂直帰線期間スライサ（以下、これをＶＢＩスライサと呼ぶ）２３が設けられている。
【００１６】
そしてチャンネル選択部４と、第１及び第２の信号処理系並びにＶＢＩスライサ２３との間には、切替回路部２４が設けられている。
【００１７】
切替回路部２４は、信号入力側の第１のテレビジョン信号入力接点２４Ａ１にチャンネル選択部４の第１のチューナ２の出力端が接続され、当該信号入力側の第２のテレビジョン信号入力接点２４Ａ２にチャンネル選択部４の第２のチューナ３の出力端が接続されている。
【００１８】
また切替回路部２４は、信号出力側の第１の信号出力接点２４Ｂ１に第１の信号処理系に設けられた第１のオーディオＡ／Ｄ変換回路５の入力端及び第１のＮＴＳＣデコーダ６の入力端が共に接続されると共に、当該信号入力側の第２の信号出力接点２４Ｂ２に第２の信号処理系に設けられた第２のオーディオＡ／Ｄ変換回路１５の入力端及び第２のＮＴＳＣデコーダ１６の入力端が共に接続され、さらに信号入力側の第３の信号出力接点２４Ｂ３にＶＢＩスライサ２３の入力端が接続されている。
【００１９】
そして切替回路部２４は、第１乃至第３の信号出力接点２４Ｂ１乃至２４Ｂ３を第１及び第２のテレビジョン信号入力接点２４Ａ１及び２４Ａ２のいずれにも接続し得るようになされている。
【００２０】
ここで記録再生装置１は、制御部２５が内部のメモリに予め格納している各種アプリケーションプログラムに従ってチャンネル選択部４、データ圧縮部７、データ復号部９、ＶＢＩスライサ２３及びデータ記録再生用のハードディスクドライブ２６を制御すると共に、その際、切替回路部２４に対して第１及び第２のテレビジョン信号入力接点２４Ａ１及び２４Ａ２と、第１乃至第３の信号出力接点２４Ｂ１乃至２４Ｂ３との接続も制御することにより、所望のテレビジョン番組の視聴や録画、再生を実現する。
【００２１】
すなわち制御部２５は、テレビジョン番組の視聴時、リモートコントローラ等でなる操作部２７を介して入力される視聴チャンネル指定命令に応じてチャンネル選択部４、データ圧縮部７及びデータ復号部９を制御すると共に、切替回路部２４を制御して例えば第１のテレビジョン信号入力接点２４Ａ１に第１の信号出力接点２４Ｂ１を接続する。
【００２２】
これによりチャンネル選択部４に設けられた第１及び第２のチューナ２及び３のうち例えば第１のチューナ２は、外部から供給される複数チャンネル分のアナログのテレビジョン信号群Ｓ１から視聴用に指定されたチャンネルのテレビジョン信号Ｓ２を選択し、当該選択したチャンネルのテレビジョン信号Ｓ２を切替回路部２４を介して例えば第１の信号処理系の第１のオーディオＡ／Ｄ変換回路５及び第１のＮＴＳＣデコーダ６に送出する。
【００２３】
第１のオーディオＡ／Ｄ変換回路５は、第１のチューナ２から切替回路部２４を介して与えられたテレビジョン信号Ｓ２に含まれるアナログの音声信号をデジタル変換し、得られたデジタルの音声データＤ１を第１のＭＰＥＧエンコーダ８に送出する。
【００２４】
また第１のＮＴＳＣデコーダ６は、第１のチューナ２から切替回路部２４を介して与えられたテレビジョン信号Ｓ２に含まれるアナログの映像信号をデジタル変換し、得られたデジタルの映像データＤ２を第１のＭＰＥＧエンコーダ８に送出する。
【００２５】
第１のＭＰＥＧエンコーダ８は、第１のオーディオＡ／Ｄ変換回路５から与えられた音声データＤ１をＭＰＥＧ１オーディオレイヤ２規格に従って比較的低い圧縮率で圧縮符号化し、得られた音声圧縮符号化データを所定単位毎にパケット化することにより音声圧縮パケットデータを生成する。
【００２６】
また第１のＭＰＥＧエンコーダ８は、第１のＮＴＳＣデコーダ６から与えられた映像データＤ２をＭＰＥＧ２規格に従って比較的低い圧縮率で圧縮符号化し、得られた映像圧縮符号化データを所定単位毎にパケット化することにより映像圧縮パケットデータを生成する。
【００２７】
そして第１のＭＰＥＧエンコーダ８は、音声圧縮パケットデータ及び映像圧縮パケットデータを時分割多重化し、得られたストリームデータＤ３（すなわちパケットデータ列）を第１のＭＰＥＧデコーダ１０に送出する。
【００２８】
第１のＭＰＥＧデコーダ１０は、第１のＭＰＥＧエンコーダ８から与えられたストリームデータＤ３を音声圧縮パケットデータ及び映像圧縮パケットデータに分離する。
【００２９】
そして第１のＭＰＥＧデコーダ１０は、ストリームデータＤ３から分離した音声圧縮パケットデータに格納されている所定単位毎の音声圧縮符号化データを順次ＭＰＥＧ１オーディオレイヤ２規格に対応する復号化方式に従って復号化することにより音声データＤ４を生成し、当該生成した音声データＤ４を第１のオーディオＤ／Ａ変換回路１１に送出する。
【００３０】
また第１のＭＰＥＧデコーダ１０は、ストリームデータＤ３から分離した映像圧縮パケットデータに格納されている所定単位毎の映像圧縮符号化データを順次ＭＰＥＧ２規格に対応する復号化方式に従って復号化することにより映像データＤ５を生成し、当該生成した映像データＤ５を第１のＮＴＳＣエンコーダ１２に送出する。
【００３１】
第１のオーディオＤ／Ａ変換回路１１は、第１のＭＰＥＧデコーダ１０から与えられた音声データＤ４をアナログ変換し、得られたアナログの音声信号Ｓ３を第１の音声出力端子１３から外部のテレビジョン受像機（図示せず）に出力する。
【００３２】
また第１のＮＴＳＣエンコーダ１２は、第１のＭＰＥＧデコーダ１０から与えられた映像データＤ５をアナログ変換し、得られたアナログの映像信号Ｓ４を第１の映像出力端子１４から外部のテレビジョン受像機に出力する。
【００３３】
これにより制御部２５は、ユーザによって指定されたチャンネルのテレビジョン番組（すなわち、音声信号Ｓ３に基づく音声及び映像信号Ｓ４に基づく映像によって構成されるテレビジョン番組）を視聴させ得るようになされている。
【００３４】
また制御部２５は、このようにテレビジョン番組を視聴させる場合、テレビジョン信号Ｓ２に基づいて得られる音声データＤ１及び映像データＤ２をそれぞれ一旦は圧縮符号化するものの、その際、ストリームデータＤ３に対して予め設定された比較的高い所定のビットレート（例えば、９〔Mbps〕）に応じてこれら音声データＤ１及び映像データＤ２を比較的低い圧縮率で圧縮符号化することによりテレビジョン番組の音声及び映像の劣化を大幅に低減させている。
【００３５】
一方、制御部２５は、テレビジョン番組の録画時、操作部２７を介して入力される録画チャンネル指定命令に応じてチャンネル選択部４、データ圧縮部７及びハードディスクドライブ２６を制御すると共に、切替回路部２４を制御して例えば第１のテレビジョン信号入力接点２４Ａ１に第１の信号出力接点２４Ｂ１を接続する。
【００３６】
この場合、チャンネル選択部４の例えば第１のチューナ２は、外部から供給されるテレビジョン信号群Ｓ１から録画用に指定されたチャンネルのテレビジョン信号Ｓ２を選択し、当該選択したチャンネルのテレビジョン信号Ｓ２を切替回路部２４を介して例えば第１の信号処理系の第１のオーディオＡ／Ｄ変換回路５及び第１のＮＴＳＣデコーダ６に送出する。
【００３７】
第１のオーディオＡ／Ｄ変換回路５は、上述したテレビジョン番組の視聴時と同様に第１のチューナ２から切替回路部２４を介して与えられたテレビジョン信号Ｓ２に含まれるアナログの音声信号をデジタル変換し、得られたデジタルの音声データＤ１を第１のＭＰＥＧエンコーダ８に送出する。
【００３８】
また第１のＮＴＳＣデコーダ６も、上述したテレビジョン番組の視聴時と同様に第１のチューナ２から切替回路部２４を介して与えられたテレビジョン信号Ｓ２に含まれるアナログの映像信号をデジタル変換し、得られたデジタルの映像データＤ２を第１のＭＰＥＧエンコーダ８に送出する。
【００３９】
そして第１のＭＰＥＧエンコーダ８は、第１のオーディオＡ／Ｄ変換回路５から与えられた音声データＤ１をＭＰＥＧ１オーディオレイヤ２規格に従って比較的高い圧縮率で圧縮符号化し、得られた音声圧縮符号化データを所定単位毎にパケット化することにより音声圧縮パケットデータを生成する。
【００４０】
また第１のＭＰＥＧエンコーダ８は、第１のＮＴＳＣデコーダ６から与えられた映像データＤ２をＭＰＥＧ２規格に従って比較的高い圧縮率で圧縮符号化し、得られた映像圧縮符号化データを所定単位毎にパケット化することにより映像圧縮パケットデータを生成する。
【００４１】
そして第１のＭＰＥＧエンコーダ８は、音声圧縮パケットデータ及び映像圧縮パケットデータを時分割多重化し、得られたストリームデータＤ６（すなわちパケットデータ列）をハードディスクドライブ２６に送出することにより当該ストリームデータＤ６をハードディスクに記録する。
【００４２】
これにより制御部２５は、ユーザによって指定されたチャンネルのテレビジョン番組をストリームデータＤ６として録画し得るようになされている。
【００４３】
また制御部２５は、このようにテレビジョン番組を録画する場合、テレビジョン信号Ｓ２に基づいて得られる音声データＤ１及び映像データＤ２をそれぞれストリームデータＤ６に対して予め設定された比較的低い所定のビットレート（例えば、３〔Mbps〕）に応じて比較的高い圧縮率で圧縮符号化してデータ量を低減させることによりハードディスクの記録容量を有効に使用して多数のテレビジョン番組を録画し得るようになされている。
【００４４】
そして制御部２５は、録画したテレビジョン番組の再生時、操作部２７を介して入力されるテレビジョン番組の指定再生命令に応じてハードディスクドライブ２６及びデータ復号部９を制御することにより当該ハードディスクドライブ２６のハードディスクから、指定されたテレビジョン番組に相当するストリームデータＤ６を再生し、当該再生したストリームデータＤ６を例えば第１の信号処理系の第１のＭＰＥＧデコーダ１０に送出する。
【００４５】
第１のＭＰＥＧデコーダ１０は、ハードディスクドライブ２６から与えられたストリームデータＤ６を音声圧縮パケットデータ及び映像圧縮パケットデータに分離する。
【００４６】
そして第１のＭＰＥＧデコーダ１０は、ストリームデータＤ６から分離した音声圧縮パケットデータに格納されている所定単位毎の音声圧縮符号化データを順次ＭＰＥＧ１オーディオレイヤ２規格に対応する復号化方式に従って復号化することにより音声データＤ７を生成し、当該生成した音声データＤ７を第１のオーディオＤ／Ａ変換回路１１に送出する。
【００４７】
また第１のＭＰＥＧデコーダ１０は、ストリームデータＤ６から分離した映像圧縮パケットデータに格納されている所定単位毎の映像圧縮符号化データを順次ＭＰＥＧ２規格に対応する復号化方式に従って復号化することにより映像データＤ８を生成し、当該生成した映像データＤ８を第１のＮＴＳＣエンコーダ１２に送出する。
【００４８】
第１のオーディオＤ／Ａ変換回路１１は、第１のＭＰＥＧデコーダ１０から与えられた音声データＤ７をアナログ変換し、得られたアナログの音声信号Ｓ５を第１の音声出力端子１３から外部のテレビジョン受像機に出力する。
【００４９】
また第１のＮＴＳＣエンコーダ１２は、第１のＭＰＥＧデコーダ１０から与えられた映像データＤ８をアナログ変換し、得られたアナログの映像信号Ｓ６を第１の映像出力端子１４から外部のテレビジョン受像機に出力する。
【００５０】
これにより制御部２５は、一旦録画したテレビジョン番組（すなわち、音声信号Ｓ５に基づく音声及び映像信号Ｓ６に基づく映像によって構成されるテレビジョン番組）を視聴させ得るようになされている。
【００５１】
これに加えて入力段（すなわち、切替回路部２４の前段）には、ビデオカメラ等の外部機器（図示せず）から供給されるアナログの外部入力信号Ｓ１０をそのフォーマットに合わせて取り込むコンポジット入力端子２８及びＳ端子２９が設けられている。
【００５２】
この場合、切替回路部２４は、信号入力側の第１の外部信号入力接点２４Ｃ１にコンポジット入力端子２８の出力端が接続され、当該信号入力側の第２の外部信号入力接点２４Ｃ２にＳ端子２９の出力端が接続されている。
【００５３】
そして切替回路部２４は、これら第１及び第２の外部信号入力接点２４Ｃ１及び２４Ｃ２に第１及び第２の信号出力接点２４Ｂ１及び２４Ｂ２のいずれも接続し得るようになされている。
【００５４】
これによりかかる記録再生装置１は、外部から供給される外部入力信号Ｓ１０についても上述したテレビジョン信号Ｓ２の場合と同様に処理することにより当該外部入力信号Ｓ１０に基づく映像音声を視聴させると共に、その外部入力信号Ｓ１０をハードディスクドライブ２６のハードディスクで記録再生し得るようになされている。
【００５５】
実際上、制御部２５は、操作部２７を介して外部入力の視聴命令が入力されると、これに応じてデータ圧縮部７及びデータ復号部９を制御すると共に、切替回路部２４に対して第１及び第２の外部信号入力接点２４Ｃ１及び２４Ｃ２と、第１及び第２の信号出力接点２４Ｂ１及び２４Ｂ２との接続も制御する。
【００５６】
これにより外部機器から供給される外部入力信号Ｓ１０は、そのフォーマットに応じてコンポジット入力端子２８又はＳ端子２９に入力され、切替回路部２４を介して例えば第１の信号処理系の第１のオーディオＡ／Ｄ変換回路５及び第１のＮＴＳＣデコーダ６に送出される。
【００５７】
この場合、第１のオーディオＡ／Ｄ変換回路５は、コンポジット入力端子２８又はＳ端子２９から切替回路部２４を介して与えられた外部入力信号Ｓ１０に含まれるアナログの音声信号をデジタル変換し、得られたデジタルの音声データＤ１０を第１のＭＰＥＧエンコーダ８に送出する。
【００５８】
また第１のＮＴＳＣデコーダ６は、コンポジット入力端子２８又はＳ端子２９から切替回路部２４を介して与えられた外部入力信号Ｓ１０に含まれるアナログの映像信号をデジタル変換し、得られたデジタルの映像データＤ１１を第１のＭＰＥＧエンコーダ８に送出する。
【００５９】
第１のＭＰＥＧエンコーダ８は、テレビジョン番組の視聴時と同様に第１のオーディオＡ／Ｄ変換回路５及び第１のＮＴＳＣデコーダ６から与えられた音声データＤ１０及び映像データＤ１１をそれぞれ比較的低い圧縮率で圧縮符号化し、得られた音声圧縮パケットデータ及び映像圧縮パケットデータを時分割多重化することによりストリームデータＤ１２を生成し、これを第１のＭＰＥＧデコーダ１０に送出する。
【００６０】
第１のＭＰＥＧデコーダ１０も、上述したテレビジョン番組の視聴時と同様に第１のＭＰＥＧエンコーダ８から与えられたストリームデータＤ１２を音声圧縮パケットデータ及び映像圧縮パケットデータに分離し、当該音声圧縮パケットデータ及び映像圧縮パケットデータをそれぞれ復号化することにより音声データＤ１３及び映像データＤ１４を生成し、当該音声データＤ１３を第１のオーディオＤ／Ａ変換回路１１においてアナログ変換し、得られた音声信号Ｓ１１を第１の音声出力端子１３からテレビジョン受像機に出力すると共に、映像データＤ１４を第１のＮＴＳＣエンコーダ１２においてアナログ変換し、得られた映像信号Ｓ１２を第１の映像出力端子１４からテレビジョン受像機に出力する。
【００６１】
これにより制御部２５は、外部機器から供給される外部入力信号Ｓ１０に基づく映像音声をテレビジョン受像機を介して視聴させ得るようになされている。
【００６２】
また制御部２５は、このように外部機器から供給される映像音声を視聴させる場合、外部入力信号Ｓ１０に基づいて得られる音声データＤ１０及び映像データＤ１１をそれぞれ一旦は圧縮符号化するものの、その際、ストリームデータＤ１２に対して予め設定された比較的高い所定のビットレート（例えば、９〔Mbps〕）に応じてこれら音声データＤ１０及び映像データＤ１１を比較的低い圧縮率で圧縮符号化することにより当該映像音声の劣化を大幅に低減させている。
【００６３】
一方、制御部２５は、操作部２７を介して外部入力の記録命令が入力されると、これに応じて切替回路部２４、データ圧縮部７及びハードディスクドライブ２６を制御する。
【００６４】
この場合、外部機器から供給される外部入力信号Ｓ１０は、コンポジット入力端子２８又はＳ端子２９に入力され、切替回路部２４と例えば第１の信号処理系の第１のオーディオＡ／Ｄ変換回路５及び第１のＮＴＳＣデコーダ６とを順次介してデジタルの音声データＤ１０及び映像データＤ１１として第１のＭＰＥＧエンコーダ８に送出される。
【００６５】
そして第１のＭＰＥＧエンコーダ８は、テレビジョン番組の録画時と同様に音声データＤ１０及び映像データＤ１１をそれぞれ比較的高い圧縮率で圧縮符号化し、得られた音声圧縮パケットデータ及び映像圧縮パケットデータを時分割多重化することによりストリームデータＤ１５を生成してハードディスクドライブ２６に送出することにより当該ストリームデータＤ１５をハードディスクに記録する。
【００６６】
これにより制御部２５は、外部機器から供給される外部入力信号Ｓ１０をストリームデータＤ１５として記録し得るようになされている。
【００６７】
また制御部２５は、このように外部入力信号Ｓ１０を記録する場合、当該外部入力信号Ｓ１０に基づいて得られる音声データＤ１０及び映像データＤ１１をそれぞれストリームデータＤ１５に対して予め設定された比較的低い所定のビットレート（例えば、３〔Mbps〕）に応じて比較的高い圧縮率で圧縮符号化してデータ量を低減させることによりハードディスクの記録領域を有効に使用して多数の外部入力を記録し得るようになされている。
【００６８】
そして制御部２５は、記録した外部入力信号Ｓ１０の再生時、操作部２７を介して入力される再生対象の外部入力信号Ｓ１０の指定再生命令に応じてハードディスクドライブ２６及びデータ復号部９を制御することにより当該ハードディスクドライブ２６のハードディスクから、指定された外部入力信号Ｓ１０に相当するストリームデータＤ１５を再生し、当該再生したストリームデータＤ１５を例えば第１の信号処理系の第１のＭＰＥＧデコーダ１０に送出する。
【００６９】
第１のＭＰＥＧデコーダ１０は、上述したテレビジョン番組の再生時と同様にハードディスクドライブ２６から与えられたストリームデータＤ１５を音声圧縮パケットデータ及び映像圧縮パケットデータに分離し、当該音声圧縮パケットデータ及び映像圧縮パケットデータをそれぞれ復号化することにより音声データＤ１６及び映像データＤ１７を生成し、当該音声データＤ１６を第１のオーディオＤ／Ａ変換回路１１においてアナログ変換し、得られた音声信号Ｓ１３を第１の音声出力端子１３からテレビジョン受像機に出力すると共に、映像データＤ１７を第１のＮＴＳＣエンコーダ１２においてアナログ変換し、得られた映像信号Ｓ１４を第１の映像出力端子１４からテレビジョン受像機に出力する。
【００７０】
これにより制御部２５は、外部機器から供給されて一旦記録した外部入力信号Ｓ１０に基づく映像音声をテレビジョン受像機を介して視聴させ得るようになされている。
【００７１】
因みに上述したテレビジョン番組の視聴や記録再生については、それぞれ第１のチューナ２及び第１の信号処理系による処理として説明したが、第２のチューナ３及び第２の信号処理系や、第１のチューナ１及び第２の信号処理系、さらには第２のチューナ３及び第１の信号処理系の組合せでも同様に処理することができる。
【００７２】
また外部入力信号Ｓ１０に基づく映像音声の視聴や当該外部入力信号Ｓ１０の記録再生についても、第１の信号処理系による処理として説明したが、第２の信号処理系でも同様に処理することができる。
【００７３】
ところで番組案内提供チャンネルについては、当該番組案内提供チャンネルのテレビジョン信号Ｓ２に含まれる映像信号の垂直帰線期間に１日に数回、所定のタイミングで電子番組案内と次回の電子番組案内の提供日時の情報（以下、これを提供日時情報と呼ぶ）とが格納されている。
【００７４】
従って制御部２５は、図２に示すように、記録再生装置１に商用電源等から電力が供給されると、その時点では電子番組案内の提供日時がわからないことにより、切替回路部２４を制御して第３の信号出力接点２４Ｂ３を第１及び第２のテレビジョン信号入力接点２４Ａ１及び２４Ａ２のいずれか一方に接続し、この結果、第３の信号出力接点２４Ｂ３と第１又は第２のテレビジョン信号入力接点２４Ａ１又は２４Ａ２を介して接続された一方の第１又は第２のチューナ２又は３に対して番組案内提供チャンネルを選択するように制御する。
【００７５】
これにより一方の第１又は第２のチューナ２又は３は、外部から常時供給される複数チャンネル分のテレビジョン信号群Ｓ１から番組案内提供チャンネルのテレビジョン信号Ｓ２を選択し、当該選択した番組案内提供チャンネルのテレビジョン信号Ｓ２を切替回路部２４を介してＶＢＩスライサ２３に送出する。
【００７６】
ＶＢＩスライサ２３は、制御部２５の制御のもとに動作し、第１又は第２のチューナ２又は３から切替回路部２４を介して与えられた番組案内提供チャンネルのテレビジョン信号Ｓ２からこれに含まれる映像信号を分離し、当該映像信号の垂直帰線期間内に電子番組案内及び提供日時情報が格納されているか否かを検出し、当該垂直帰線期間内に電子番組案内及び提供日時情報が格納された映像信号を含むテレビジョン信号Ｓ２が提供されることを待ち受ける。
【００７７】
そしてＶＢＩスライサ２３は、電子番組案内の提供を待ち受けているうちに、映像信号の垂直帰線期間内に電子番組案内及び提供日時情報が格納されていることを検知すると、その映像信号から垂直帰線期間内に格納されている電子番組案内及び提供日時情報を抽出し、当該抽出した電子番組案内を電子番組案内データＤ２０としてハードディスクドライブ２６に送出してハードディスクに記録すると共に、同様に抽出した提供日時情報を制御部２５に送出する。
【００７８】
これにより制御部２５は、ＶＢＩスライサ２３から提供日時情報が与えられると、これに応じて電子番組案内が抽出されたと認識し、その結果、切替回路部２４と、第１又は第２のチューナ２又は３と、ＶＢＩスライサ２３とに対する電子番組案内抽出用の制御を解除することにより当該切替回路部２４及びチャンネル選択部４を上述したテレビジョン番組の視聴等に使用し得る状態にする。
【００７９】
また制御部２５は、このようにして記録再生装置１の起動から電子番組案内の提供を待ち受けて１つ目の提供日時情報を取得すると、これを内部のメモリに格納すると共に、当該制御部２５の内部に設けられたＲＴＣ（Real Time Clock ）回路によって計時している現在の日時を提供日時情報の示す提供日時と比較することにより次回の電子番組案内の提供を待ち受ける。
【００８０】
そして制御部２５は、現在の日時が提供日時に達すると、その際、番組案内提供チャンネルの選択が可能な待機状態の一方の第１又は第２のチューナ２又は３に対して番組案内提供チャンネルを選択するように制御すると共に、切替回路部２４を制御してその一方の第１又は第２のチューナ２又は３をＶＢＩスライサ２３に接続する。
【００８１】
これによりＶＢＩスライサ２３は、再び番組案内提供チャンネルのテレビジョン信号Ｓ２に含まれる映像信号から垂直帰線期間内の電子番組案内及び提供日時情報を抽出し、当該抽出した電子番組案内を電子番組案内データＤ２０としてハードディスクドライブ２６に送出してハードディスクに過去の電子番組案内に上書きして記録すると共に、同様に抽出した提供日時情報を制御部２５に送出する。
【００８２】
かくして制御部２５は、ＶＢＩスライサ２３から提供日時情報が与えられると、これに応じて電子番組案内が抽出されたと認識することにより切替回路部２４と、第１又は第２のチューナ２又は３と、ＶＢＩスライサ２３とに対する電子番組案内抽出用の制御を解除して当該切替回路部２４及びチャンネル選択部４を上述したテレビジョン番組の視聴等に使用し得る状態にすると共に、当該提供日時情報を内部のメモリに過去の提供日時情報に上書きして格納し、再び次回の電子番組案内の提供を待ち受ける。
【００８３】
このようにして制御部２５は、記録再生装置１に電力が供給されている間は１度電子番組案内及び提供日時情報を取得すれば、その後は電子番組案内と共に提供される提供日時情報に従って順次新たな電子番組案内を取得することができ、かくして番組案内提供チャンネルのテレビジョン信号Ｓ２によって１日に数回提供される電子番組案内を確実に取得することができる。
【００８４】
因みに制御部２５は、電子番組案内を取得した状態で操作部２７を介して電子番組案内の閲覧要求が入力されると、ハードディスクドライブ２６のハードディスクから電子番組案内を読み出す。
【００８５】
そして制御部２５は、その電子番組案内に所定のグラフィクス処理を施し、得られたデジタルの電子番組案内画面データＤ２１を第１及び第２のＮＴＳＣエンコーダ１２及び２０のいずれか一方に送出し、当該一方の第１又は第２のＮＴＳＣエンコーダ１２又は２０においてその電子番組案内画面データＤ２１をアナログ変換し、得られたアナログの電子番組案内画面信号Ｓ２０を第１又は第２の映像出力端子１４又は２２から外部のテレビジョン受像機に送出する。
【００８６】
これにより制御部２５は、外部のテレビジョン受像機を介して電子番組案内信号Ｓ２０に基づく電子番組案内画面を見せる。
【００８７】
この状態で制御部２５は、操作部２７の操作に応じて電子番組案内画面データＤ２１の構成を適宜更新し、これを第１又は第２のＮＴＳＣエンコーダ１２又は２０を介して電子番組案内画面信号Ｓ２０に変換して第１又は第２の映像出力端子１４又は２２からテレビジョン受像機に送出することにより、電子番組案内画面上でカーソル等を移動させて例えば録画予約対象の所望のテレビジョン番組を選択させ得るようになされている。
【００８８】
そして制御部２５は、電子番組案内画面上で録画予約対象のテレビジョン番組が選択されると、これに応じて録画予約データを生成して内部のメモリに記録することにより、この後、録画予約の開始時刻になるとその録画予約データに応じて予め選択されたテレビジョン番組を録画する。
【００８９】
ところで制御部２５は、図３（Ａ）及び（Ｂ）に示すように、切替回路部２４を制御して第１及び第２の信号出力接点２４Ｂ１及び２４Ｂ２の両方を共に第１のテレビジョン信号入力接点２４Ａ１に接続し得ると共に、当該第１及び第２の信号出力接点２４Ｂ１及び２４Ｂ２の両方を共に第２のテレビジョン信号入力接点２４Ａ２に接続し得るようになされている。
【００９０】
そして制御部２５は、切替回路部２４を制御して第１及び第２の信号出力接点２４Ｂ１及び２４Ｂ２の両方を共にいずれか一方の第１又は第２のチューナ２又は３の出力端に接続した場合、当該切替回路部２４を介して第１及び第２の信号処理系３０及び３１の両方に接続された第１又は第２のチューナ２又は３に対して所望のチャンネルを選択するように制御する。
【００９１】
これにより制御部２５は、一方の第１又は第２のチューナ２又は３において選択された１つのチャンネルのテレビジョン信号Ｓ２を切替回路部２４を介して第１の信号処理系３０の第１のオーディオＡ／Ｄ変換回路５及び第１のＮＴＳＣデコーダ６に送出すると共に、第２の信号処理系３１の第２のオーディオＡ／Ｄ変換回路１５及び第２のＮＴＳＣデコーダ１６に送出することができる。
【００９２】
そして制御部２５は、一方の第１又は第２のチューナ２又は３に切替回路部２４を介して第１及び第２の信号処理系３０及び３１の両方を接続した場合、いずれか一方の第１又は第２の信号処理系３０又は３１でテレビジョン信号Ｓ２に対して上述したテレビジョン番組の視聴用の処理を施すと共に、他方の第１又は第２の信号処理系３０又は３１で当該テレビジョン信号Ｓ２に上述したテレビジョン番組の録画用の処理を施すことにより、所望の１つのテレビジョン番組を視聴させながら同時に録画し得るようになされている。
【００９３】
また制御部２５は、第１及び第２の信号処理系３０及び３１の両方に第１及び第２のＭＰＥＧエンコーダ８及び１７が設けられていることにより、一方の第１又は第２のチューナ２又は３に切替回路部２４を介して第１及び第２の信号処理系３０及び３１の両方を接続した場合、いずれか一方の第１又は第２の信号処理系３０又は３１でテレビジョン信号Ｓ２を例えば比較的低い圧縮力で圧縮符号化し、得られたストリームデータＤ３をハードディスクドライブ２６のハードディスクに記録すると共に、他方の第１又は第２の信号処理系３０又は３１で当該テレビジョン信号Ｓ２を例えば比較的高い圧縮率で圧縮符号化し、得られたストリームデータＤ６をハードディスクドライブ２６のハードディスクに記録することにより、所望の１つのテレビジョン番組に相当するテレビジョン信号Ｓ２を同時に異なる圧縮率で圧縮符号化してハードディスクに記録することもできる。
【００９４】
このようにして制御部２５は、切替回路部２４の第１及び第２のテレビジョン信号入力接点２４Ａ１及び２４Ａ２のいずれにも第１及び第２の信号出力接点２４Ｂ１及び２４Ｂ２の両方を一括して接続し得ることにより、所望のテレビジョン番組を視聴させながら同時に録画する場合や、所望のテレビジョン番組に相当するテレビジョン信号Ｓ２を同時に異なる圧縮率で圧縮符号化して記録する場合でも、必ず一方の第１又は第２のチューナ２又は３を自由に使用し得る状態して番組案内提供チャンネルの選択用に確保することができ、かくして番組案内提供チャンネルのテレビジョン信号Ｓ２から電子番組案内を確実に取得し得るようになされている。
【００９５】
因みに制御部２５は、１つのテレビジョン信号Ｓ２に圧縮率の異なる録画用の処理を同時に施して得られた２種類のストリームデータＤ３及びＤ６をハードディスクに記録した後、操作部２５を介して当該２種類のストリームデータＤ３及びＤ６に相当するテレビジョン番組の再生命令が入力されると、２種類のストリームデータＤ３及びＤ６のうちテレビジョン信号Ｓ２を比較的低い圧縮率（すなわち、テレビジョン信号Ｓ２に対する異なる圧縮率のうち低い方の圧縮率）で圧縮符号化して得られた一方のストリームデータＤ３をハードディスクドライブ２６のハードディスクから再生し、当該再生したストリームデータＤ３に対して上述したテレビジョン番組の再生時と同様の処理を施すことによりそのストリームデータＤ３に相当するテレビジョン番組を視聴させる。
【００９６】
また制御部２５は、１つのテレビジョン信号Ｓ２に圧縮率の異なる録画用の処理を同時に施して得られた２種類のストリームデータＤ３及びＤ６をハードディスクに記録した後、操作部２７を介して当該２種類のストリームデータＤ３及びＤ６に相当するテレビジョン番組を長期保存する長期保存命令が入力されると、２種類のストリームデータＤ３及びＤ６のうちテレビジョン信号Ｓ２を比較的高い圧縮率（すなわち、テレビジョン信号Ｓ２に対する異なる圧縮率のうち高い方の圧縮率）で圧縮符号化して得られた一方のストリームデータＤ６をハードディスクドライブ２６のハードディスクに残し、他方のストリームデータＤ３（すなわち、テレビジョン信号Ｓ２を比較的低い圧縮率で圧縮符号化して得られたストリームデータＤ３）を消去する。
【００９７】
これにより制御部２５は、所望のテレビジョン番組を録画するものの、その再生の際には比較的低い圧縮率を用いて生成したストリームデータＤ３のみを再生することにより圧縮符号化による劣化のほとんどない高精彩なテレビジョン番組を視聴させることができ、また当該テレビジョン番組を長期保存する際には比較的高い圧縮率を用いてデータ量を低減させて生成したストリームデータＤ６のみを保存することによりハードディスクの記録容量を有効に使用して多数のテレビジョン番組を録画し得るようになされている。
【００９８】
これに加えて制御部２５は、図４（Ａ）及び（Ｂ）に示すように、一方の第１又は第２のチューナ２又は３を切替回路部２４を介して第１及び第２の信号処理系３０及び３１の両方に接続して番組案内提供チャンネルのテレビジョン信号Ｓ２に対して異なる処理（視聴及び録画、又は異なる圧縮率による圧縮符号化）を同時に施しているときに現在の日時が電子番組案内の提供日時に達すると、当該切替回路部２４を制御して第３の信号出力接点２４Ｂ３を、その番組案内提供チャンネルを選択している一方の第１又は第２のチューナ２又は３の出力端に接続された第１又は第２のテレビジョン信号入力接点２４Ａ１又は２４Ａ２に接続し、当該番組案内提供チャンネルのテレビジョン信号Ｓ２を第１又は第２のチューナ２又は３から切替回路部２４を介してＶＢＩスライサ２３にも取り込む。
【００９９】
これにより制御部２５は、２つの第１及び第２のチューナ２及び３のうち一方のみで番組案内提供チャンネルのテレビジョン信号Ｓ２を選択して当該テレビジョン信号Ｓ２に対する異なる処理を同時に実行しながらその番組案内提供チャンネルのテレビジョン信号Ｓ２に含まれる映像信号から垂直帰線期間内の電子番組案内及び提供日時情報を抽出することができる。
【０１００】
ここで実際上、制御部２５は、操作部２７を介して記録再生装置１の起動命令が入力されると、これに応じて記録再生装置１を起動させると共に、内部のメモリから１つのテレビジョン信号Ｓ２に対して異なる処理を同時に施すための同時処理プログラムを読み出し、当該読み出した同時処理プログラムに従って図５に示す同時処理手順ＲＴ１に開始ステップから入ってステップＳＰ１に移る。
【０１０１】
ステップＳＰ１において制御部２５は、操作部２７を介して１つのテレビジョン番組に対する視聴及び録画や当該１つのテレビジョン番組に相当するテレビジョン信号Ｓ２に対する圧縮率の異なる圧縮符号化の同時処理命令が入力されることを待ち受け、当該同時処理命令が入力されると、ステップＳＰ２に移る。
【０１０２】
ステップＳＰ２において制御部２５は、要求された同時処理が１つのテレビジョン番組に対する視聴及び録画であるか否かを判断する。
【０１０３】
このステップＳＰ２において肯定結果を得ると、このことは同時処理命令として例えば所望のテレビジョン番組を視聴している際に操作部２７を介してそのテレビジョン番組に対する録画命令が入力されたことを表しており、このとき制御部２５はステップＳＰ３に移る。
【０１０４】
ステップＳＰ３において制御部２５は、切替回路部２４を制御して第１及び第２の信号処理系３０及び３１を第１及び第２のチューナ２及び３のいずれか一方に接続する。
【０１０５】
そして制御部２５は、第１及び第２の信号処理系３０及び３１の両方を一括して接続した一方の第１又は第２のチューナ２又は３を制御して所望のチャンネルを選択させる。
【０１０６】
これにより制御部２５は、一方の第１又は第２のチューナ２又は３によって選択させたチャンネルのテレビジョン信号Ｓ２を切替回路部２４を介して第１及び第２の信号処理系３０及び３１の両方に送出させることにより当該第１及び第２の信号処理系３０及び３１において上述した１つのテレビジョン番組に対する視聴用の処理と録画用の処理とを同時に実行させ、かかる処理が終了するとステップＳＰ４に移る。
【０１０７】
ステップＳＰ４において制御部２５は、操作部２７を介して記録再生装置１に対する起動停止命令が入力されたか否かを判断し、未だ起動停止命令が入力されずに記録再生装置１の動作を継続させることにより否定結果を得ると、ステップＳＰ１に戻る。
【０１０８】
またステップＳＰ２において否定結果を得ると、このことは同時処理命令として１つのテレビジョン番組に相当するテレビジョン信号Ｓ２に対して異なる圧縮率で圧縮符号化して記録する記録命令が入力されたことを表しており、このとき制御部２５はステップＳＰ５に移る。
【０１０９】
ステップＳＰ５において制御部２５は、切替回路部２４を制御して第１及び第２の信号処理系３０及び３１を第１及び第２のチューナ２及び３のいずれか一方に接続する。
【０１１０】
そして制御部２５は、第１及び第２の信号処理系３０及び３１の両方を一括して接続した一方の第１又は第２のチューナ２又は３を制御して所望のチャンネルを選択させる。
【０１１１】
これにより制御部２５は、一方の第１又は第２のチューナ２又は３によって選択させたチャンネルのテレビジョン信号Ｓ２を切替回路部２４を介して第１及び第２の信号処理系３０及び３１の両方に送出させることにより当該第１及び第２の信号処理系３０及び３１において１つのテレビジョン信号Ｓ２に対する異なる圧縮率の圧縮符号化処理を実行させ、かかる処理が終了するとステップＳＰ４に移る。
【０１１２】
そして制御部２５は、ステップＳＰ４において否定結果を得るとステップＳＰ１に戻る。
【０１１３】
このようにして制御部２５は、ステップＳＰ１−ＳＰ２−ＳＰ３−ＳＰ４−ＳＰ５の処理を実行した後、ステップＳＰ４において操作部２７を介して記録再生装置１に対する起動停止命令が入力されて肯定結果を得ると、ステップＳＰ６に移って同時処理手順ＲＴ１を終了する。
【０１１４】
また制御部２５は、記録再生装置１に商用電源等から電力が供給されると、その電力に基づいて動作を開始して内部のメモリから電子番組案内取得処理プログラムを読み出し、当該読み出した電子番組案内取得処理プログラムに従って図６に示す電子番組案内取得処理手順ＲＴ２に開始ステップから入って続くステップＳＰ１１に移る。
【０１１５】
ステップＳＰ１１において制御部２５は、切替回路部２４を制御してＶＢＩスライサ２３にいずれか一方の第１又は第２のチューナ２又は３を接続すると共に、当該接続した一方の第１又は第２のチューナ２又は３を制御して番組案内提供チャンネルを選択させる。
【０１１６】
そして制御部２５は、一方の第１又は第２のチューナ２又は３によって選択させた番組案内提供チャンネルのテレビジョン信号Ｓ２をＶＢＩスライサ２３に送出させることにより当該番組案内提供チャンネルのテレビジョン信号Ｓ２により電子番組案内が提供されることを待ち受ける。
【０１１７】
このようにして制御部２５は、番組案内提供チャンネルのテレビジョン信号Ｓ２により電子番組案内が提供されるとステップＳＰ１２に移る。
【０１１８】
ステップＳＰ１２において制御部２５は、ＶＢＩスライサ２３において番組案内提供チャンネルのテレビジョン信号Ｓ２に含まれる映像信号から垂直帰線期間内の電子番組案内及び提供日時情報を抽出させ、当該抽出させた電子番組案内を電子番組案内データＤ２０としてハードディスクドライブ２６のハードディスクに記録すると共に、同様に抽出された提供日時情報を取り込んでステップＳＰ１３に移る。
【０１１９】
ステップＳＰ１３において制御部２５は、現在の日時と提供日時情報の示す提供日時とを比較することにより次回の電子番組案内の提供を待ち受け、当該現在の日時が提供日時に達すると、ステップＳＰ１４に移る。
【０１２０】
ステップＳＰ１４において制御部２５は、切替回路部２４を制御してＶＢＩスライサ２３に番組案内提供チャンネルの選択が可能な一方の第１又は第２のチューナ２又は３を接続すると共に、当該接続した一方の第１又は第２のチューナ２又は３を制御して番組案内提供チャンネルを選択させることにより一方の第１又は第２のチューナ２又は３によって選択させた番組案内提供チャンネルのテレビジョン信号Ｓ２をＶＢＩスライサ２３に送出させてステップＳＰ１５に移る。
【０１２１】
ステップＳＰ１５において制御部２５は、ＶＢＩスライサ２３において番組案内提供チャンネルのテレビジョン信号Ｓ２に含まれる映像信号から垂直帰線期間内の電子番組案内及び提供日時情報を抽出させ、当該抽出させた電子番組案内を電子番組案内データＤ２０としてハードディスクドライブ２６のハードディスクに記録すると共に、同様に抽出された提供日時情報を取り込んでステップＳＰ１３に戻る。
【０１２２】
このようにして制御部２５は、記録再生装置１に電力が供給されている間、番組案内提供チャンネルのテレビジョン信号Ｓ２によって１日に数回提供される電子番組案内を確実に取得する。
【０１２３】
なおこの実施の形態の場合、制御部２５は、切替回路部２４を制御して第１及び第２の信号出力接点２４Ｂ１及び２４Ｂ２の両方を一括して第１の外部信号入力接点２４Ｃ１や第２の外部信号入力接点２４Ｃ２に接続するこれにより、第１及び第２の信号処理系３０及び３１の両方を一括してコンポジット入力端子２８やＳ端子２９に接続することができる。
【０１２４】
これにより制御部２５は、上述した１つのテレビジョン信号Ｓ２に対する同時処理の実行のみならずに、外部入力信号Ｓ１０に対して第１及び第２の信号処理系３０及び３１により上述した視聴用の処理と記録用の処理とを同時に施すことができると共に、当該第１及び第２の信号処理系３０及び３１により異なる圧縮率で圧縮符号化する処理も同時に施すことができる。
【０１２５】
また制御部２５は、上述した１つのテレビジョン信号Ｓ２に対する異なる圧縮率による圧縮符号化処理を記録再生装置１の起動時にのみ実行するわけではなく、電子番組案内を用いた録画予約時に異なる圧縮率による圧縮符号化処理の実行を指定しておき、録画予約対象の１つのテレビジョン番組に対しても録画予約に応じて実行する録画時に当該１つのテレビジョン番組に相当するテレビジョン信号Ｓ２に対して異なる圧縮率による圧縮符号化処理を施すことができる。
【０１２６】
以上の構成において、この記録再生装置１は、１つのテレビジョン番組に対して異なる処理を同時に実行するように要求された場合、制御部２５により切替回路部２４を制御して第１及び第２の信号処理系３０及び３１の両方を一括していずれか一方の第１又は第２のチューナ２又は３に接続する。
【０１２７】
そして記録再生装置１は、制御部２５により第１及び第２の信号処理系３０及び３１と接続した一方の第１又は第２のチューナ２又は３を制御して処理対象の１つのテレビジョン信号Ｓ２のチャンネルを選択することにより当該一方の第１又は第２のチューナ２又は３から選択したチャンネルのテレビジョン信号Ｓ２を切替回路部２４を介して第１及び第２の信号処理系３０及び３１の両方に送出し、かくして第１及び第２の信号処理系３０及び３１により１つのテレビジョン信号Ｓ２に対してそれぞれ異なる処理を施すようにした。
【０１２８】
従ってこの記録再生装置１は、１つのテレビジョン信号Ｓ２に対して異なる処理を同時に施した場合でも、その処理のためにチャンネルを選択した一方の第１又は第２のチューナ２又は３の他に他方の第１又は第２のチューナ２又は３を番組案内提供チャンネルのテレビジョン信号Ｓ２によって提供される電子番組案内の取得用に確保しておくことができる。
【０１２９】
このため記録再生装置１は、１つのテレビジョン信号Ｓ２に対して異なる処理を同時に施しているときに番組案内提供チャンネルのテレビジョン信号Ｓ２により電子番組案内が提供されても、他方の第１又は第２のチューナ２又は３と、ＶＢＩスライサ２３とを切替回路部２４を介して接続して当該ＶＢＩスライサ２３により番組案内提供チャンネルのテレビジョン信号Ｓ２に含まれる映像信号から垂直帰線期間内の電子番組案内を確実に取得することができる。
【０１３０】
また記録再生装置１は、１つのテレビジョン信号Ｓ２に対する異なる処理として圧縮率の異なる圧縮符号化処理を同時に実行することにより２種類のストリームデータＤ３及びＤ６を得てハードディスクに記録する。
【０１３１】
そして記録再生装置１は、ハードディスクに記録した２種類のストリームデータＤ３及びＤ６に対して再生が要求されたときには、２種類のストリームデータＤ３及びＤ６のうちテレビジョン信号Ｓ２を比較的低い圧縮率で圧縮符号化して得られた一方のストリームデータＤ３を再生し、当該２種類のストリームデータＤ３及びＤ６に対して長期保存が要求されたときには２種類のストリームデータＤ３及びＤ６のうちテレビジョン信号Ｓ２を比較的高い圧縮率で圧縮符号化して得られた一方のストリームデータＤ６をハードディスクに残して他方のストリームデータＤ３を消去するようにした。
【０１３２】
従って記録再生装置１は、ハードディスクに記録した２種類のストリームデータＤ３及びＤ６に対して再生が要求されたときには、圧縮符号化処理による劣化のほとんどない高精彩なテレビジョン番組を視聴させることができ、またハードディスクに記録した２種類のストリームデータＤ３及びＤ６に対して長期保存が要求されたときには、当該２種類のストリームデータＤ３及びＤ６のうち圧縮率に応じてデータ量の少ないストリームデータＤ６のみを保存することによりハードディスクの記録容量を有効に使用して多数のテレビジョン番組を録画することができる。
【０１３３】
以上の構成によれば、１つのテレビジョン番組に対して異なる処理を同時に実行するように要求された場合、切替回路部２４により第１及び第２の信号処理系３０及び３１の両方を一括していずれか一方の第１又は第２のチューナ２又は３に接続し、当該接続した一方の第１又は第２のチューナ２又は３で選択したチャンネルの１つのテレビジョン信号Ｓ２を第１及び第２の信号処理系３０及び３１の両方に送出してそれぞれ異なる処理を実行するようにしたことにより、１つのテレビジョン信号Ｓ２に対して異なる処理を同時に実行した場合でも、他方の第１又は第２のチューナ２又は３を番組案内提供チャンネルの選択用に確保しておき、当該他方の第１又は第２のチューナ２又は３と、ＶＢＩスライサ２３とを切替回路部２４を介して接続して番組案内提供チャンネルのテレビジョン信号Ｓ２に含まれる映像信号から垂直帰線期間内の電子番組案内を確実に取得することができ、かくして電子番組案内を確実に使用し得る記録再生装置を実現することができる。
【０１３４】
なお上述の実施の形態においては、番組案内提供チャンネルのテレビジョン信号Ｓ２に対して異なる処理を実行しているときに電子番組案内が提供されると、第１及び第２の信号処理系３０及び３１と共にＶＢＩスライサ２３を番組案内提供チャンネルを選択している一方の第１又は第２のチューナ２又は３に接続するようにした場合について述べたが、本発明はこれに限らず、番組案内提供チャンネルのテレビジョン信号Ｓ２に対して異なる処理を実行しているときに電子番組案内が提供されると、第１及び第２の信号処理系３０及び３１を接続している一方の第１又は第２のチューナ２又は３と異なる他方の第１又は第２のチューナ２又は３にＶＢＩスライサ２３を接続するようにしても良い。
【０１３５】
また上述の実施の形態においては、制御部２５の内部のメモリに予め格納している同時処理プログラムに従って図５について上述した同時処理手順ＲＴ１を実行すると共に、当該制御部２５の内部のメモリに予め格納している電子番組案内取得処理プログラムに従って図６について上述した電子番組案内取得処理手順ＲＴ２を実行するようにした場合について述べたが、本発明はこれに限らず、同時処理プログラム及び電子番組案内取得処理プログラムをローカルエリアネットワークやインターネット、デジタル衛星放送等の有線及び無線通信媒体を利用して記録再生装置１にインストールすることにより同時処理手順ＲＴ１及び電子番組案内取得処理手順ＲＴ２を実行するようにしても良いし、当該同時処理プログラム及び電子番組案内取得処理プログラムが格納されたプログラム格納媒体を記録再生装置１にインストールすることにより同時処理手順ＲＴ１及び電子番組案内取得処理手順ＲＴ２を実行するようにしても良い。
【０１３６】
因みに上述した同時処理手順ＲＴ１及び電子番組案内取得処理手順ＲＴ２を実行するための同時処理プログラム及び電子番組案内取得処理プログラムを記録再生装置１にインストールして実行可能な状態にするためのプログラム格納媒体としては、例えばフレキシブルディスク、ＣＤ−ＲＯＭ（Compact Disc-Read Only Memory ）、ＤＶＤ（Digital Versatile Disc）等のパッケージメディアのみならず、同時処理プログラム及び電子番組案内取得処理プログラムが一時的もしくは永続的に格納される半導体メモリや磁気ディスク等で実現しても良い。またこれらプログラム格納媒体に同時処理プログラム及び電子番組案内取得処理プログラムを格納する手段としては、ローカルエリアネットワークやインターネット、デジタル衛星放送等の有線及び無線通信媒体を利用しても良く、ルータやモデム等の各種通信インターフェースを介して格納するようにしても良い。
【０１３７】
さらに上述の実施の形態においては、本発明による記録再生装置を図１乃至図６について上述した記録再生装置１に適用するようにした場合について述べたが、本発明はこれに限らず、記録媒体として光磁気ディスクを用いる記録再生装置等のように、この他種々の記録再生装置に広く適用することができる。
【０１３８】
さらに上述の実施の形態においては、番組案内提供チャンネルの所定のタイミングで電子番組案内が格納されたテレビジョン信号を含む複数チャンネル分のテレビジョン信号を取り込み、当該複数チャンネルのうち所望のチャンネルのテレビジョン信号を選択する少なくとも２つのチャンネル選択手段として、図１乃至図６について上述した２つの第１及び第２のチューナ２及び３を適用するようにした場合について述べたが、本発明はこれに限らず、３つ以上のチューナを適用するようにしても良い。
【０１３９】
さらに上述の実施の形態においては、各チャンネル選択手段により選択された所望のチャンネルのテレビジョン信号に対して所定処理を施す少なくとも２つの信号処理手段として、図１乃至図６について上述した第１及び第２の信号処理系３０及び３１を適用するようにした場合について述べたが、本発明はこれに限らず、テレビジョン信号を圧縮符号化及び復号化せずに外部に出力する信号処理系を含む２つ以上の信号処理系等のように、この他種々の信号処理手段を広く適用することができる。
【０１４０】
さらに上述の実施の形態においては、各信号処理手段により所定処理が施されたテレビジョン信号を記録する記録媒体として、図１乃至図６について上述したハードディスクドライブ２６のハードディスクを適用するようにした場合について述べたが、本発明はこれに限らず、光磁気ディスクや半導体メモリ等のように、この他種々の記録媒体を広く適用することができる。
【０１４１】
さらに上述の実施の形態においては、チャンネル選択手段により選択された番組案内提供チャンネルのテレビジョン信号から電子番組案内を抽出する電子番組案内抽出手段として、図１乃至図６について上述したＶＢＩスライサ２３を適用するようにした場合について述べたが、本発明はこれに限らず、チャンネル選択手段により選択された番組案内提供チャンネルのテレビジョン信号から電子番組案内を抽出することができれば、この他種々の電子番組案内抽出手段を広く適用することができる。
【０１４２】
さらに上述の実施の形態においては、各チャンネル選択手段と、各信号処理手段及び電子番組案内抽出手段との接続を切り替える切替手段として、図１乃至図６について上述した切替回路部２４を適用するようにした場合について述べたが、本発明はこれに限らず、コンポジット入力端子２８及び又はＳ端子２９用の接点のない切替回路部等のように、この他種々の切替手段を広く適用することができる。
【０１４３】
さらに上述の実施の形態においては、各信号処理手段により１つのテレビジョン信号に対して異なる所定処理を同時に施す場合、当該各信号処理手段を各チャンネル選択手段のうち１つの当該チャンネル選択手段に一括して接続するように切替手段を制御する制御手段として、図１乃至図６について上述した制御部２５を適用するようにした場合について述べたが、本発明はこれに限らず、ＣＰＵ（Central Processing Unit ）及びＲＡＭ（Random Access Memory）並びにＲＯＭ（Read Only Memory）等からなるマイクロプロセッサや、ＣＰＵ単体等のように、この他種々の制御手段を広く適用することができる。
【０１４４】
【発明の効果】
上述のように本発明によれば、少なくとも２つのチャンネル選択手段により番組案内提供チャンネルの所定のタイミングで電子番組案内が格納されたテレビジョン信号を含む複数チャンネル分のテレビジョン信号を取り込んで所望のチャンネルのテレビジョン信号を選択し、少なくとも２つの信号処理手段によりチャンネル選択手段によって選択された所望のチャンネルのテレビジョン信号に対して所定処理を施すと共に、電子番組案内抽出手段によりチャンネル選択手段によって選択された番組案内提供チャンネルのテレビジョン信号から電子番組案内を抽出するようにし、各信号処理手段により１つの所望のチャンネルのテレビジョン信号に対して異なる所定処理を同時に施す際には、制御手段により各チャンネル選択手段と各信号処理手段及び電子番組案内抽出手段との接続を切り替える切替手段を制御して、各信号処理手段を各チャンネル選択手段のうち１つの当該チャンネル選択手段に一括して接続するようにしたことにより、１つのテレビジョン信号に対して異なる所定処理を同時に施す場合でも、番組案内提供チャンネルの選択用にチャンネル選択手段を確保しておき、当該確保した１つのチャンネル選択手段と電子番組案内抽出手段とを切替手段を介して接続して番組案内提供チャンネルのテレビジョン信号から電子番組案内を確実に取得することができ、かくして電子番組案内を確実に使用し得る記録再生装置を実現することができる。
【図面の簡単な説明】
【図１】本発明による記録再生装置の全体構成の一実施の形態を示すブロック図である。
【図２】電子番組案内の取得の説明に供するブロック図である。
【図３】１つのテレビジョン信号に対して異なる処理を同時に施す際の切替回路部の制御の説明に供するブロック図である。
【図４】番組案内提供チャンネルのテレビジョン信号に対して異なる処理を同時に施しているときの電子番組案内の取得の説明に供するブロック図である。
【図５】同時処理手順を示すフローチャートである。
【図６】電子番組案内取得処理手順を示すフローチャートである。
【符号の説明】
１……記録再生装置、２……第１のチューナ、３……第２のチューナ、８……第１のＭＰＥＧエンコーダ、１０……第１のＭＰＥＧデコーダ、１７……第２のＭＰＥＧエンコーダ、１８……第２のＭＰＥＧデコーダ、２３……ＶＢＩスライサ、２４……切替回路部、２５……制御部、２６……ハードディスクドライブ、３０……第１の信号処理系、３１……第２の信号処理系、Ｓ１……テレビジョン信号群、Ｓ２……テレビジョン信号、Ｄ３、Ｄ６……ストリームデータ、ＲＴ１……同時処理手順、ＲＴ２……電子番組案内取得処理手順。
【図１】
0003712204.tif 000002
【図２】
0003712204.tif 000003
【図３】
0003712204.tif 000004
【図４】
0003712204.tif 000005
【図５】
0003712204.tif 000006
【図６】
0003712204.tif 000007